(57)【要約】【課題】本発明は、閉域網上のネットワークに接続されたコンテンツサーバが閉域網上のネットワークを介してＲＡＮに接続された移動端末に該当するコンテンツを配信することを課題とする。【解決手段】本発明は、移動端末１０からコンテンツ要求情報を受信するＲＡＮコネクション受信部３１と、ＲＡＮコネクション受信部３１で受信されたコンテンツ要求情報に基づいて、設定されたテーブルの中から、コンテンツ要求情報に含まれるＲＡＮ識別子及びＩＰアドレスを特定することができたときは、特定した該ＩＰアドレスに前記コンテンツ要求情報を転送するＩＰパケット処理部３２と、ＩＰパケット処理部３２から転送されたコンテンツ要求情報に基づいて、コンテンツ要求情報に対応付けられたコンテンツ情報を移動端末１０に配信するローカルコンテンツサーバ４０とを備える。【選択図】      図１
2004187045.tif 000002
【特許請求の範囲】
【請求項１】
移動端末と中継装置とがＲＡＮ（Ｒａｄｉｏ  Ａｃｃｅｓｓ  Ｎｅｔｗｏｒｋ）で構築された無線網に接続され、各種コンテンツを配信する閉域網上の第一コンテンツサーバが該中継装置に接続され、前記第一コンテンツサーバが前記中継装置を介して前記移動端末に前記コンテンツを配信するコンテンツ配信システムであって、
前記中継装置は、
前記移動端末からの指示に応じて、前記移動端末及び前記中継装置の間でコンテンツの送受信を行うチャネルを特定するための無線接続識別子と、前記中継装置及び前記第一コンテンツサーバの間でコンテンツの送受信を行うためのＩＰアドレスとを含むテーブルを設定するテーブル設定手段と、
前記移動端末からコンテンツ要求情報を受信する受信手段と、
前記受信手段で受信された前記コンテンツ要求情報に基づいて、前記テーブル設定手段で設定された前記テーブルの中から、該コンテンツ要求情報に含まれる前記無線接続識別子及び前記ＩＰアドレスを特定することができたときは、特定した該ＩＰアドレスに前記コンテンツ要求情報を転送する転送手段とを有し、
前記第一コンテンツサーバは、
前記転送手段から転送された前記コンテンツ要求情報に基づいて、該コンテンツ要求情報に対応付けられた前記コンテンツを前記中継装置経由で前記移動端末に配信する
ことを特徴とするコンテンツ配信システム。
【請求項２】
請求項１に記載のコンテンツ配信システムであって、
前記各種コンテンツを配信する広域網上の第二コンテンツサーバが前記中継装置に接続され、
前記転送手段は、前記受信手段で受信された前記コンテンツ要求情報に基づいて、前記テーブル設定手段で設定された前記テーブルの中から、該コンテンツ要求情報に含まれる前記ＩＰアドレスを特定することができないときは、前記第二コンテンツサーバに前記コンテンツ要求情報を転送し、
前記第二コンテンツサーバは、前記転送手段から転送された前記コンテンツ要求情報に基づいて、該コンテンツ要求情報に対応付けられた前記コンテンツを前記中継装置経由で前記移動端末に配信する
ことを特徴とするコンテンツ配信システム。
【請求項３】
請求項２に記載のコンテンツ配信システムであって、
前記中継装置は、前記第一コンテンツサーバから前記コンテンツが配信されたときは、該コンテンツに対しては課金しないようにし、前記第二コンテンツサーバから前記コンテンツが配信されたときは、該コンテンツの容量に応じて課金することを特徴とするコンテンツ配信システム。
【請求項４】
請求項２に記載のコンテンツ配信システムであって、
前記移動端末から送信されたコンテンツ要求情報に含まれる送信元アドレスを記憶するアドレス記憶手段を有し、
前記第一コンテンツサーバは、予め設定された時間が経過した際に、前記アドレス記憶手段に記憶された前記送信元アドレスに前記コンテンツを前記中継装置経由で送信する
ことを特徴とするコンテンツ配信システム。
【請求項５】
請求項１に記載のコンテンツ配信システムであって、
前記中継装置は、前記無線網を介して該中継装置と前記移動端末との間で前記無線接続識別子が設定された際に、前記第一コンテンツサーバの前記ＩＰアドレスを前記移動端末に送信することを特徴とするコンテンツ配信システム。
【請求項６】
移動端末と中継装置とがＲＡＮ（Ｒａｄｉｏ  Ａｃｃｅｓｓ  Ｎｅｔｗｏｒｋ）で構築された無線網に接続され、各種コンテンツを配信する閉域網上の第一コンテンツサーバが該中継装置に接続され、前記第一コンテンツサーバが前記移動端末に対して配信する前記コンテンツを中継する中継装置であって、
前記移動端末からの指示に応じて、前記移動端末及び前記中継装置の間でコンテンツの送受信を行うチャネルを特定するための無線接続識別子と、前記中継装置及び前記第一コンテンツサーバの間でコンテンツの送受信を行うためのＩＰアドレスとを含むテーブルを設定するテーブル設定手段と、
前記移動端末からコンテンツ要求情報を受信する受信手段と、
前記受信手段で受信された前記コンテンツ要求情報に基づいて、前記テーブル設定手段で設定された前記テーブルの中から、該コンテンツ要求情報に含まれる前記無線接続識別子及び前記ＩＰアドレスを特定することができたときは、特定した該ＩＰアドレスに前記コンテンツ要求情報を転送する転送手段と
を有することを特徴とする中継装置。
【請求項７】
請求項６に記載の中継装置であって、
前記各種コンテンツを配信する広域網上の第二コンテンツサーバが前記中継装置に接続され、
前記転送手段は、前記受信手段で受信された前記コンテンツ要求情報に基づいて、前記テーブル設定手段で設定された前記テーブルの中から、該コンテンツ要求情報に含まれる前記ＩＰアドレスを特定することができないときは、前記第二コンテンツサーバに前記コンテンツ要求情報を転送することを特徴とする中継装置。
【請求項８】
請求項７に記載の中継装置であって、
前記第一コンテンツサーバから前記コンテンツが配信されたときは、該コンテンツに対しては課金しないようにし、前記第二コンテンツサーバから前記コンテンツが配信されたときは、該コンテンツの容量に応じて課金することを特徴とする中継装置。
【請求項９】
請求項６に記載の中継装置であって、
前記無線網を介して該中継装置と前記移動端末との間で前記無線接続識別子が設定された際に、前記第一コンテンツサーバの前記ＩＰアドレスを前記移動端末に送信することを特徴とする中継装置。
【請求項１０】
移動端末と中継装置とがＲＡＮ（Ｒａｄｉｏ  Ａｃｃｅｓｓ  Ｎｅｔｗｏｒｋ）で構築された無線網に接続され、各種コンテンツを配信する閉域網上の第一コンテンツサーバが該中継装置に接続され、前記第一コンテンツサーバが前記中継装置を介して前記移動端末に前記コンテンツを配信するコンテンツ配信制御方法であって、
前記移動端末からの指示に応じて、前記移動端末及び前記中継装置の間でコンテンツの送受信を行うチャネルを特定するための無線接続識別子と、前記中継装置及び前記第一コンテンツサーバの間でコンテンツの送受信を行うためのＩＰアドレスとを含むテーブルを設定する第一工程と、
前記移動端末からコンテンツ要求情報を受信する第二工程と、
前記第二工程で受信された前記コンテンツ要求情報に基づいて、前記第一工程で設定された前記テーブルの中から、該コンテンツ要求情報に含まれる前記無線接続識別子及び前記ＩＰアドレスを特定することができたときは、特定した該ＩＰアドレスに前記コンテンツ要求情報を転送する第三工程と、
前記第三工程で転送された前記コンテンツ要求情報に基づいて、該コンテンツ要求情報に対応付けられた前記コンテンツを前記中継装置経由で前記移動端末に配信する第四工程と
を有することを特徴とするコンテンツ配信制御方法。
【請求項１１】
請求項１０に記載のコンテンツ配信制御方法であって、
前記各種コンテンツを配信する広域網上の第二コンテンツサーバが前記中継装置に接続され、
前記第三工程では、前記第二工程で受信された前記コンテンツ要求情報に基づいて、前記第一工程で設定された前記テーブルの中から、該コンテンツ要求情報に含まれる前記ＩＰアドレスを特定することができないときは、前記第二コンテンツサーバに前記コンテンツ要求情報を転送し、
前記第四工程では、前記第三工程で転送された前記コンテンツ要求情報に基づいて、該コンテンツ要求情報に対応付けられた前記コンテンツを前記中継装置経由で前記移動端末に配信する
ことを特徴とするコンテンツ配信制御方法。
【請求項１２】
請求項１１に記載のコンテンツ配信制御方法であって、
前記第一コンテンツサーバから前記コンテンツが配信されたときは、該コンテンツに対しては課金しないようにし、前記第二コンテンツサーバから前記コンテンツが配信されたときは、該コンテンツの容量に応じて課金することを特徴とするコンテンツ配信制御方法。
【請求項１３】
請求項１１に記載のコンテンツ配信制御方法であって、
前記移動端末から送信されたコンテンツ要求情報に含まれる送信元アドレスを記憶する第五工程と、
予め設定された時間が経過した際に、前記アドレス記憶手段に記憶された送信元アドレスに前記コンテンツを前記中継装置経由で送信する第六工程と
を有することを特徴とするコンテンツ配信制御方法。
【請求項１４】
請求項１０に記載のコンテンツ配信制御方法であって、
前記無線網を介して該中継装置と前記移動端末との間で前記無線接続識別子が設定された際に、前記第一コンテンツサーバの前記ＩＰアドレスを前記移動端末に送信することを特徴とするコンテンツ配信制御方法。
【発明の詳細な説明】
【０００１】
【発明の属する技術分野】
本発明は、移動端末と中継装置とがＲＡＮ（Ｒａｄｉｏ  Ａｃｃｅｓｓ  Ｎｅｔｗｏｒｋ）で構築された無線網に接続され、各種コンテンツを配信する閉域網上のコンテンツサーバが中継装置に接続され、コンテンツサーバが中継装置を介して移動端末にコンテンツを配信するコンテンツ配信システム、中継装置及びコンテンツ配信制御方法に関する。
【０００２】
【従来の技術】
従来から、移動端末がネットワークを介して各種コンテンツを管理するコンテンツサーバから該当するコンテンツを受信するシステムが提案されている（例えば、特許文献１参照）。また、ＲＡＮの一形態である３ＧＰＰ標準規定の無線基地局（Ｎｏｄｅ  Ｂ）及び無線基地局制御装置（ＲＮＣ）から構成されるシステムでは、移動端末がｗｅｂアクセスによりコンテンツの配信を受けるためには、移動端末は、必ずコアネットワークを経由してコンテンツサーバから該当するコンテンツの配信を受ける必要がある。
【０００３】
【特許文献１】
特開２００１−２６５６８９（第４−６項、第１図）
【０００４】
【発明が解決しようとする課題】
しかしながら、このシステムでは、ＲＡＮを設置する場所の所有者が独自にコンテンツサーバを設定してサービスしようとする場合には、所有者は、その都度、コアネットワークを含めたネットワークオペレータにそのコンテンツサーバとコアネットワークとを接続可能にするような手配をする必要がある。このため、所有者が上記システムを完成させるまでには手間や時間がかかった。
【０００５】
また、上記システムでは、移動端末は常にコアネットワークを介してコンテンツサーバから該当するコンテンツを受信しなければならない。このため、所有者は、上記コアネットワークを経由させないで、自分のＲＡＮ（特に、３ＧＰＰに準拠するＲＡＮ）に接続中の移動端末にのみ独自のコンテンツを配信するというサービスを提供することができなかった。
【０００６】
更に、移動端末とコンテンツサーバとの間で送受信されるデータは、一般のインターネットに接続されたコンテンツサーバと同様に必ずコアネットワークを経由する。このため、移動端末が該当するデータを上記コンテンツサーバから受信する際には、利用者は、配信されたデータの容量に応じて一定の料金を支払わなければならなかった。
【０００７】
そこで、本発明は、以上の点に鑑みてなされたものであり、閉域網上のネットワークに接続されたコンテンツサーバが閉域網上のネットワークを介して、特に３ＧＰＰに準拠するＲＡＮに接続された移動端末に該当するコンテンツを配信することのできるコンテンツ配信システム、中継装置及びコンテンツ配信制御方法を提供することを課題とする。
【０００８】
【課題を解決するための手段】
本発明は上記課題を解決するためになされたものであり、移動端末と中継装置とがＲＡＮ（ＲａｄｉｏＡｃｃｅｓｓＮｅｔｗｏｒｋ）で構築された無線網に接続され、各種コンテンツを配信する閉域網上の第一コンテンツサーバが中継装置に接続され、コンテンツサーバが中継装置を介して移動端末にコンテンツを配信する際に、移動端末からの指示に応じて、移動端末及び中継装置の間でコンテンツの送受信を行うチャネルを特定するための無線接続識別子と、中継装置及び第一コンテンツサーバの間でコンテンツの送受信を行うためのＩＰアドレスとを含むテーブルを設定し、移動端末からコンテンツ要求情報を受信し、受信されたコンテンツ要求情報に基づいて、設定されたテーブルの中から、コンテンツ要求情報に含まれる無線接続識別子及びＩＰアドレスを特定することができたときは、特定した該ＩＰアドレスにコンテンツ要求情報を転送し、転送されたコンテンツ要求情報に基づいてコンテンツ要求情報に対応付けられたコンテンツを中継装置経由で移動端末に配信することを特徴とする。
【０００９】
このような本願に係る発明によれば、第一コンテンツサーバは、閉域網上のネットワークを介してＲＡＮに接続された移動端末にのみ該当するコンテンツを配信することができる。また、第一コンテンツサーバを設置する運営業者は、広域網上のネットワーク（コアネットワーク）に第一コンテンツサーバを接続可能にするような手配をする必要がなくなるので、その運営業者は、本システムを完成させるまでの期間を短縮することができる。
【００１０】
上記発明においては、各種コンテンツを配信する広域網上の第二コンテンツサーバが中継装置に接続されており、受信されたコンテンツ要求情報に基づいて、設定されたテーブルの中から、コンテンツ要求情報に含まれるＩＰアドレスを特定することができないときは、第二コンテンツサーバにコンテンツ要求情報を転送し、転送されたコンテンツ要求情報に基づいて、コンテンツ要求情報に対応付けられたコンテンツを中継装置経由で移動端末に配信することが好ましい。
【００１１】
この場合には、中継装置は、移動端末から受信したコンテンツ要求情報に含まれるアドレスが第二コンテンツサーバのアドレスであれば、そのアドレスにコンテンツ要求情報を転送することができる。すなわち、コンテンツ要求情報に含まれるアドレスが第一コンテンツサーバのアドレスであれば、そのコンテンツ要求情報は、広域網上に接続された第二コンテンツサーバを経由しない。これにより、上記運営業者は、コンテンツ要求情報（第一コンテンツサーバのアドレスを含むもの）が広域網上を経由したことによる利用料金を利用者に支払わせないようにすることができる。
【００１２】
上記発明においては、第一コンテンツサーバからコンテンツが配信されたときは、そのコンテンツに対しては課金しないようにし、第二コンテンツサーバからコンテンツが配信されたときは、そのコンテンツの容量に応じて課金することが好ましい。この場合には、中継装置が、第二コンテンツサーバから配信されたコンテンツについてのみ課金をするので、第一コンテンツサーバの運営業者は、移動端末に配信するコンテンツを無料で配信することができる。
【００１３】
上記発明においては、移動端末から送信されたコンテンツ要求情報に含まれる送信元アドレスを記憶し、予め設定された時間が経過した際に、その記憶された送信元アドレスにコンテンツを中継装置経由で送信することが好ましい。この場合には、第一コンテンツサーバは、予め設定された時間が経過した際に、中継装置を介してＲＡＮに接続された移動端末にのみ該当するコンテンツを配信することができる。
【００１４】
上記発明においては、無線網を介して中継装置と移動端末との間で無線接続識別子が設定された際に、第一コンテンツサーバのＩＰアドレスを移動端末に送信することが好ましい。
【００１５】
尚、中継装置は、予め記憶された第一コンテンツサーバのネームに対応する送信先アドレスをＤＮＳサーバに問い合わせることが好ましい。この場合には、中継装置は、移動端末から受信したコンテンツ要求情報を、ＤＮＳサーバから取得したネームに対応するアドレスに転送することができる。
【００１６】
尚、第二コンテンツサーバと中継装置との間で行われるコンテンツの中継を行う第二中継装置が配置され、中継装置は、移動端末及び中継装置の間でコンテンツの送受信を行うチャネルを特定するための無線接続識別子と、中継装置及び第二中継装置の間でコンテンツの送受信を行うチャネルを特定するための第二識別子とを含む第二テーブルを設定する。中継装置は、上記設定された第二識別子上でコンテンツを第二中継装置から受信した際には、その設定した第二テーブルの中から、その第二識別子に対応付けられた無線接続識別子を特定し、特定した無線接続識別子を用いて受信したコンテンツを該当する移動端末に送信することが好ましい。
【００１７】
尚、中継装置は、移動端末及び中継装置の間でコンテンツの送受信を行うチャネルを特定するための無線接続識別子と、中継装置及び第一コンテンツサーバの間でコンテンツの送受信を行うためのＩＰアドレスとを含むテーブルを設定する。中継装置は、上記ＩＰアドレスを含むコンテンツを第一コンテンツサーバから受信した際には、その設定したテーブルの中から、そのＩＰアドレスに対応付けられた無線接続識別子を特定し、特定した無線接続識別子を用いて受信したコンテンツを該当する移動端末に送信することが好ましい。
【００１８】
【発明の実施の形態】
（コンテンツ配信システムの基本構成）
本発明に係るコンテンツ配信システムについて図面を参照しながら説明する。図１は、本実施形態に係るコンテンツ配信システムの概略構成図である。
【００１９】
図１に示すように、コンテンツ配信システムは、移動端末１０と基地局制御装置３０とがＲＡＮ（Ｒａｄｉｏ  Ａｃｃｅｓｓ  Ｎｅｔｗｏｒｋ）で構築されたＲＡＮ内ネットワーク（無線網）に接続され、更に各種コンテンツを配信する閉域網上のローカルコンテンツサーバ４０が基地局制御装置３０に接続されており、ローカルコンテンツサーバ４０が基地局制御装置３０を介して移動端末１０にコンテンツを配信するものである。この閉域網は、本実施形態では、ＲＡＮ内ネットワーク８０で構築される。
【００２０】
このコンテンツ配信システムは、本実施形態では、移動端末１０と、無線基地局２０と、基地局制御装置３０（中継装置）と、ローカルコンテンツサーバ４０（第一コンテンツサーバ）と、ＤＮＳサーバ５０と、ネットワーク制御装置６０（第二中継装置）と、一般コンテンツサーバ７０（第二コンテンツサーバ）と、ＲＡＮ内ネットワーク８０と、ＣＯＲＥ内ネットワーク９０とを備える。
【００２１】
移動端末１０は、ローカルコンテンツサーバ４０又は一般コンテンツサーバ７０からコンテンツ情報を受信するものである。このコンテンツ情報は、文章又は画像等からなる広告を意味するものである。このコンテンツ情報には、コンテンツ情報を送信する宛先ＩＰアドレス（移動端末１０を特定するためのＩＰアドレス）等が含まれる。
【００２２】
無線基地局２０は、移動端末１０と基地局制御装置３０との間で行われるデータの送受信を中継するものである。ローカルコンテンツサーバ４０は、各種コンテンツを配信するものである。このローカルコンテンツサーバ４０は、閉域網上のネットワーク８０に配備され、この閉域網上のネットワーク８０を介して基地局制御装置３０に接続される。
【００２３】
ＤＮＳサーバ５０は、基地局制御装置３０からの問い合わせに応じて、基地局制御装置３０に記憶されたローカルコンテンツサーバ４０のネームに対応するＩＰアドレスを基地局制御装置３０に送信するものである。このＤＮＳサーバ５０は、閉域網上のネットワーク８０に配備され、この閉域網上のネットワークを介して基地局制御装置３０に接続される。
【００２４】
尚、本実施形態では、ローカルコンテンツサーバ４０、ＤＮＳサーバ及び基地局制御装置３０は、閉域網上のネットワーク８０に接続されるが、基地局制御装置３０及び無線基地局２０は、ＲＡＮで構築されたネットワーク８０に接続される。
【００２５】
前記基地局制御装置３０は、無線基地局２０及びネットワーク制御装置６０の間で行われるデータの送受信を中継するものである。また、基地局制御装置３０は、無線基地局２０及びローカルコンテンツサーバ４０の間で行われるデータの送受信を中継するものである。
【００２６】
図２は、基地局制御装置３０の内部構造を示す図である。図２に示すように、基地局制御装置３０は、ＲＡＮコネクション受信部３１と、ＩＰパケット処理部３２と、対応テーブル記憶部３３と、ＣＯＲＥコネクション送信部３４と、ＩＰパケット送信部３５と、ＣＯＲＥコネクション受信部３６と、ＩＰパケット受信部３７と、ＲＡＮコネクション送信部３８とを備える。
【００２７】
図２に示すように、ＲＡＮコネクション受信部３１（受信手段）と、ＩＰパケット処理部３２（転送手段）と、ＣＯＲＥコネクション送信部３４とは、上りパケットの受信機能構成を示すものである。また、ＣＯＲＥコネクション受信部３６と、ＩＰパケット受信部３７と、ＲＡＮコネクション送信部３８とは、下りパケットの受信機能構成を示すものである。
【００２８】
ＲＡＮコネクション受信部３１は、ＲＡＮコネクション受信部３１と無線基地局２０との間で通信接続を行うものである。この通信接続を行ったＲＡＮコネクション受信部３１は、移動端末１０から送信されたコンテンツ要求情報を受信する。
【００２９】
ここで、コンテンツ要求情報は、ローカルコンテンツサーバ４０又は一般コンテンツサーバ７０に対して該当するコンテンツ情報を要求する命令を意味する。このコンテンツ要求情報には、送信元の移動端末１０を特定するためのＩＰアドレス、コンテンツ要求情報を送信する宛先ＩＰアドレス（ローカルコンテンツサーバ４０のＩＰアドレス）等が含まれている。
【００３０】
ＩＰパケット処理部３２は、ネットワーク８０を介して基地局制御装置３０と移動端末１０との間でＲＡＮ識別子が設定された際に、ローカルコンテンツサーバ４０のアドレスと一致するＩＰアドレスを移動端末１０に送信する。移動端末１０は、その送信されたＩＰアドレスを含む広告メッセージを用いて、コンテンツ要求情報を生成する。移動端末１０は、生成したコンテンツ要求情報を用いてコンテンツ要求情報に対応するコンテンツ情報を上記ＩＰアドレスを有するローカルコンテンツサーバ４０から取得する（詳述は後述する）。
【００３１】
ＩＰパケット処理部３２は、ＲＡＮコネクション受信部３１で受信されたコンテンツ要求情報に含まれるＩＰアドレス（ローカルコンテンツサーバ４０のアドレス）に基づいて、対応テーブル記憶部３３に記憶された各ＩＰアドレスと一致するＩＰアドレスを特定し、特定したＩＰアドレスにコンテンツ要求情報をローカルコンテンツサーバ４０に転送するものである。
【００３２】
尚、移動端末１０は、コンテンツ要求情報を基地局無線装置３０に送信する。ＩＰパケット処理部３２は、対応テーブル記憶部３３に記憶されたテーブルの中から、そのコンテンツ要求情報に含まれるＲＡＮ識別子とＩＰアドレスとを特定することができれば、そのＩＰアドレスにコンテンツ要求情報を送信する。
【００３３】
ここで、対応テーブル記憶部３３は、移動端末１０及び基地局制御装置３０の間でデータの送受信を行うチャネルを特定するためのＲＡＮ識別子（無線接続識別子）と、基地局制御装置３０及びローカルコンテンツサーバ４０の間でデータの送受信を行うためのＩＰアドレスとを対応付けてこれらを複数記憶するものである。
【００３４】
この対応テーブル記憶部３３は、移動端末１０及び基地局制御装置３０の間でデータの送受信を行うチャネルを特定するためのＲＡＮ識別子と、基地局制御装置３０及びネットワーク制御装置６０の間でデータの送受信を行うチャネルを特定するためのＣＯＲＥ識別子（第二識別子）とを対応付けてこれらを複数記憶するものでもある。
【００３５】
尚、ＩＰパケット処理部３２（テーブル設定手段）は、移動端末１０からの指示に応じて、上記ＲＡＮ識別子−ＩＰアドレス、ＲＡＮ識別子−ＣＯＲＥ識別子を設定し、これらの各識別子を含むテーブルを対応テーブル記憶部３３に記憶させる。
【００３６】
また、ＩＰパケット処理部３２は、対応テーブル記憶部３３に記憶されたテーブルの中から、そのコンテンツ要求情報に含まれるＩＰアドレス（ローカルコンテンツサーバ４０のＩＰアドレス）を特定することができないときは、一般コンテンツサーバ７０にコンテンツ要求情報を転送するものである。
【００３７】
また、ＩＰパケット処理部３２が、移動端末１０を特定するためのＩＰアドレスを含むコンテンツ情報を、ローカルコンテンツサーバ４０から受信した際には、ＩＰパケット処理部３２は、対応テーブル記憶部３３に記憶されたテーブルの中から、そのＩＰアドレスに対応付けられたＲＡＮ識別子を特定し、特定したＲＡＮ識別子を用いて受信したコンテンツ情報を該当する移動端末１０に送信するものである。
【００３８】
更に、ＩＰパケット処理部３２が、ＣＯＲＥ識別子を含むコンテンツ情報をネットワーク制御装置６０から受信した際には、ＩＰパケット処理部３２は、対応テーブル記憶部３３に記憶されたテーブルの中から、そのＣＯＲＥ識別子に対応付けられたＲＡＮ識別子を特定し、特定したＲＡＮ識別子を用いて受信したコンテンツ情報を該当する移動端末１０に送信するものである。
【００３９】
ＲＡＮコネクション送信部３８は、ＩＰパケット受信部３７で受信したコンテンツ情報又はＣＯＲＥコネクション受信部３６で受信したコンテンツ情報を無線基地局２０に送信するものである。また、ＲＡＮコネクション送信部３８は、ローカルコンテンツサーバ４０からコンテンツ情報が配信されたときは、そのコンテンツに対しては課金しないようにする。一方、ＲＡＮコネクション送信部３８は、一般コンテンツサーバ７０からコンテンツ情報が配信されたときは、そのコンテンツ情報の容量に応じて課金する。
【００４０】
ここで、対応テーブル記憶部３３は、移動端末１０を特定するためのＩＰアドレスと、移動端末１０を所持する利用者の銀行口座とを予め対応付けて複数記憶するものでもある。
【００４１】
具体的に、ＲＡＮコネクション送信部３８が課金をする際には、ＲＡＮコネクション送信部３８は、コンテンツ情報を配信する移動端末１０のＩＰアドレスに対応付けられた銀行口座を対応テーブル記憶部３３から取得する。この銀行口座を特定したＲＡＮコネクション送信部３８は、特定した銀行口座から、コンテンツ情報の容量に応じた料金を引き落とす。
【００４２】
ＣＯＲＥコネクション送信部３４は、ＲＡＮコネクション受信部３１で受信されたコンテンツ要求情報をネットワーク制御装置６０に送信するものである。ＣＯＲＥコネクション受信部３６は、ネットワーク制御装置６０からコンテンツ情報を受信するものである。ＩＰパケット受信部３７は、ＤＮＳサーバ５０又はローカルコンテンツサーバ４０からＩＰアドレス又はコンテンツ情報を受信するものである。
【００４３】
前記ローカルコンテンツサーバ４０は、基地局制御装置３０から転送されたコンテンツ要求情報に基づいて、そのコンテンツ要求情報に対応付けられたコンテンツ情報を基地局制御装置３０経由で移動端末１０に配信するものである。
【００４４】
ネットワーク制御装置６０は、基地局制御装置３０及び一般コンテンツサーバ７０との間で行われるデータの送受信を中継するものである。一般コンテンツサーバ７０は、基地局制御装置３０から転送されたコンテンツ要求情報に基づいて、そのコンテンツ要求情報に対応付けられたコンテンツ情報を該当する移動端末１０に配信するものである。
【００４５】
この一般コンテンツサーバ７０は、広域網上のネットワーク９０に配備され、この広域網上のネットワーク９０を介してネットワーク制御装置６０に接続される。一般コンテンツサーバ７０及びネットワーク制御装置６０は、広域網上のネットワーク９０に接続されるが、ネットワーク制御装置６０及び基地局制御装置３０は、ＧＴＰからなるネットワーク９０に接続される。
【００４６】
尚、ローカルコンテンツサーバ４０は、移動端末１０から送信されたコンテンツ要求情報に含まれる移動端末１０のＩＰアドレスを記憶するアドレス記憶部４１を備えることが好ましい。このローカルコンテンツサーバ４０は、予め設定された時間が経過した際に、アドレス記憶部４１に記憶されたＩＰアドレスに向けてコンテンツを基地局制御装置３０経由で配信する。
【００４７】
（コンテンツ配信システムを用いたコンテンツ配信制御方法）
上記構成を有するコンテンツ配信システムによるコンテンツ配信制御方法は、以下の手順により実施することができる。
【００４８】
（１）ＲＡＮ内のＩＰパケットが設定されるまでの手順
図３は、ＲＡＮ内のＩＰパケットが設定されるまでの手順を示す図である。図３に示すように、先ず、移動端末１０が、通信接続をするための接続要求を無線基地局２０及び基地局制御装置３０を介してネットワーク制御装置６０に送信する（Ｓ１００）。この接続要求は、３ＧＰＰ標準規定のＡｃｔｉｖａｔｅ  ＰＤＰ  ｃｏｎｔｅｘｔ  Ｒｅｑｕｅｓｔメッセージからなるものである。
【００４９】
移動端末１０から接続要求を受信したネットワーク制御装置６０は、受信した接続要求に基づいて、３ＧＰＰ標準規定のＲＡＢ（Ｒａｄｉｏ  Ａｃｃｅｓｓ  Ｂｅａｒｅｒ）による設定手順（プログラム）を起動させる。このＲＡＢは、ＲＡＮ内ネットワーク８０で用いるものであり、ＩＰパケットを転送するためのコネクションである。
【００５０】
ネットワーク制御装置６０は、その設定手順に基づいて、ネットワーク制御装置６０と、基地局制御装置３０と、無線基地局２０と、移動端末１０との間でＲＡＢの設定を行う。また、ネットワーク制御装置６０は、基地局制御装置３０と、ネットワーク制御装置６０との間でＧＴＰの設定を行う。ここで、ＧＴＰ（ＧＰＲＳ  Ｔｕｎｎｅｌｉｎｇ  Ｐｒｏｔｏｃｏｌ）は、基地局制御装置３０とネットワーク制御装置６０との間で用いるものであり、ＩＰパケットを転送するためのコネクションである。
【００５１】
その後、基地局制御装置３０は、図４に示すように、設定されたＲＡＢをＲＡＮ識別子とし、設定されたＧＴＰをＣＯＲＥ識別子として、ＲＡＮ−ＣＯＲＥ間対応テーブルにＲＡＮ識別子及びＣＯＲＥ識別子を対応付けて設定する。
【００５２】
また、基地局制御装置３０とネットワーク制御装置６０との間でデータの送受信をする際には、基地局制御装置３０とネットワーク制御装置６０とは、ＣＯＲＥ識別子を用いてデータの送受信を行う。
ここで、図５は、ＲＡＮ識別子に対応付けられたコネクション情報の内容を示す図である。このコネクション情報は、ＲＡＮ識別子が使用されているか否かを示す「使用／未使用」と、広告メッセージが移動端末１０に配信されたか否かを示す「広告メッセージの送信」と、配信された広告メッセージに対応するコンテンツ情報に対して課金がされたか否かを示す「課金」と、その他の情報を示す「その他」とからなるものである。
【００５３】
図５に示すように、基地局制御装置３０は、ＲＡＮ識別子が設定されたので、「使用／未使用」の箇所を”使用中”に設定する。また、基地局制御装置３０は、広告メッセージが未だ移動端末１０に送信されていないので、「広告メッセージの送信」の箇所を””未送信”に設定する。
【００５４】
次いで、上記ＲＡＢによる設定手順が完了した場合には、ネットワーク制御装置６０は、ＲＡＢの処理が設定（コネクションが確立）されたことを示す通知を該当する移動端末１０に送信する（Ｓ１１０）。この通知は、３ＧＰＰ標準規定のＡｃｔｉｖａｔｅ  ＰＤＰ  ｃｏｎｔｅｘｔ  Ａｃｃｅｐｔメッセージからなるものである。
【００５５】
これと同時に、基地局制御装置３０は、ローカルコンテンツサーバ４０のＩＰアドレスの一覧を示すテーブルを参照する（図６参照）。このテーブルを参照した基地局制御装置３０は、利用可能なローカルコンテンツサーバ４０のＩＰアドレスが設定されていない場合には、ローカルコンテンツサーバ４０のＩＰアドレスをＤＮＳサーバ５０に問い合わせる。
【００５６】
具体的に、基地局制御装置３０は、予め格納されたＤＮＳサーバ５０のＩＰアドレスと、ローカルコンテンツサーバ４０のネームとを対応テーブル記憶部３３から読み出す。このＩＰアドレス及びネームを読み出した基地局制御装置３０は、読み出したＩＰアドレスに対応するＤＮＳサーバ５０にアクセスする。
【００５７】
このアクセスをした基地局制御装置３０は、読み出したネームに基づいて、そのネームに対応するローカルコンテンツサーバ４０のＩＰアドレスをＤＮＳサーバ５０に要求する（Ｓ１２０）。基地局制御装置３０は、その要求に対応するローカルコンテンツサーバ４０のＩＰアドレスを、ＤＮＳサーバ５０から取得する（Ｓ１３０）。このローカルコンテンツサーバ４０のＩＰアドレスを取得した基地局制御装置３０は、取得したＩＰアドレスを対応テーブル記憶部３３に記憶させる（図６参照）。
【００５８】
次いで、基地局制御装置３０は、上記設定されたＲＡＮ識別子を用いて、取得したローカルコンテンツサーバ４０のＩＰアドレスを含めた広告メッセージを該当する移動端末１０に送信する（Ｓ１４０）。
【００５９】
ここで、広告メッセージは、図８に示すように、広告メッセージを送信する移動端末１０を特定するためのＩＰアドレスを示す「宛先ＩＰアドレス」、広告メッセージの送信元の基地局制御装置３０のＩＰアドレスを示す「送信元ＩＰアドレス」、データの種別（広告メッセージであるか否かの種別）及びローカルコンテンツサーバのＩＰアドレスを示す「データ部」とから構成される。尚、上記「宛先ＩＰアドレス」は、ＲＡＮ識別子が設定された際に基地局制御装置３０で設定される。
【００６０】
移動端末１０は、基地局制御装置３０から送信された広告メッセージを受信する。移動端末１０は、受信した広告メッセージを用いてコンテンツ要求情報を生成する。移動端末１０は、生成したコンテンツ要求情報を用いて該当するコンテンツ情報をローカルコンテンツサーバ４０又は一般コンテンツサーバ７０から取得する。
【００６１】
ここで、コンテンツ要求情報は、図８に示すように、コンテンツ要求情報の送信先のＩＰアドレス（ローカルコンテンツサーバ４０のＩＰアドレス）を示す「宛先ＩＰアドレス」、コンテンツ要求情報の送信元のＩＰアドレス（移動端末１０のＩＰアドレス）を示す「送信元ＩＰアドレス」、データの種別（コンテンツ要求情報であるか否かの種別）及び移動端末１０が配信を要求するコンテンツ情報を識別するコンテンツ識別子を示す「データ部」とから構成される。
【００６２】
（２）移動端末１０がコンテンツ要求情報に対応するコンテンツ情報をローカルコンテンツサーバ４０から取得するまでの手順
図９は、移動端末１０がコンテンツ要求情報に対応するコンテンツ情報をローカルコンテンツサーバ４０から取得するまでの手順を示す図である。本手順は、（１）の手順が終了した後に行われる。
【００６３】
図９に示すように、先ず、移動端末１０が、広告メッセージに基づいて生成したコンテンツ要求情報をローカルコンテンツサーバ４０に送信する（Ｓ２００）。具体的に、移動端末１０は、生成したコンテンツ要求情報を基地局制御装置３０に送信する。移動端末１０からコンテンツ要求情報を受信した基地局制御装置３０は、以下の処理を行う。
【００６４】
図２に示すように、ＲＡＮコネクション受信部３１が、受信したコンテンツ要求情報に基づいて、そのコンテンツ要求情報をＭＡＣ（Ｍｅｄｉｕｍ  Ａｃｃｅｓｓ  Ｃｏｎｔｒｏｌ）、ＲＬＣ（Ｒａｄｉｏ  Ｌｉｎｋ  Ｃｏｎｔｒｏｌ）等の３ＧＰＰの標準規定によるＲＡＮプロトコル制御処理を行う。
【００６５】
この処理を行ったＲＡＮコネクション受信部３１は、処理後のコンテンツ要求情報をＩＰパケット処理部３２に出力する。ここで、図１０は、コンテンツ要求情報の送信元である移動端末１０を特定するためのＩＰアドレスと、手順（１）で設定されたＲＡＮ識別子とが対応付けられたテーブルの内容を示す図である。
基地局制御装置３０が、自部で広告メッセージを移動端末１０に送信する際に、基地局制御装置３０が、移動端末１０を特定するためのＩＰアドレスと、手順（１）で特定したＲＡＮ識別子とを対応付けて上記テーブルに設定する。このテーブルは、対応テーブル記憶部３３に記憶されるものである。
【００６６】
上記ＲＡＮコネクション受信部３１からコンテンツ要求情報が入力されたＩＰパケット処理部３２は、入力されたコンテンツ要求情報の中から、送信元ＩＰアドレス（移動端末１０を特定するためのＩＰアドレス）を取得する。この送信元ＩＰアドレスを取得したＩＰパケット処理部３２は、取得した宛先ＩＰアドレスが図１０に示すテーブルに設定されていない場合には、その取得した送信元ＩＰアドレスを、手順（１）で特定されたＲＡＮ識別子と対応付けて上記テーブルに設定する。
【００６７】
次いで、ＩＰパケット処理部３２は、コンテンツ要求情報に含まれる宛先ＩＰアドレスと一致するローカルコンテンツサーバ４０のＩＰアドレスを取得することができた場合には、そのコンテンツ要求情報をＩＰパケット送信部３５に出力する。このコンテンツ要求情報が入力されたＩＰパケット送信部３５は、入力されたＩＰアドレスに対応するローカルコンテンツサーバ４０にコンテンツ要求情報を送信する。
【００６８】
このＩＰパケット送信部３５からコンテンツ要求情報を受信したローカルコンテンツサーバ４０は、受信したコンテンツ要求情報に基づいて、そのコンテンツ要求情報に対応するコンテンツデータを内部にあるデータベースから取得する。このコンテンツデータを取得したローカルコンテンツサーバ４０は、その取得したコンテンツデータをコンテンツ情報として、コンテンツ要求情報に含まれる宛先ＩＰアドレスに向けて送信する（Ｓ２１０）。
【００６９】
この際、ローカルコンテンツサーバ４０は、コンテンツ情報の送信要求をした移動端末１０のＩＰアドレスを履歴アドレスとしてメモリに記憶させる（図１１参照）。ここで、コンテンツ情報には、広告を含むコンテンツデータ、コンテンツデータを配信するローカルコンテンツサーバ４０のＩＰアドレス（送信元ＩＰアドレス）及びコンテンツデータを受信する移動端末１０のＩＰアドレス（宛先ＩＰアドレス）が含まれる。
【００７０】
次いで、ローカルコンテンツサーバ４０からコンテンツ情報を受信した基地局制御装置３０は、以下の各処理を行う。具体的にはＩＰパケット受信部３７が、受信したコンテンツ情報に含まれる宛先ＩＰアドレスに基づいて、その宛先ＩＰアドレスに対応付けられたＲＡＮ識別子を取得する（図１０参照）（Ｓ２２０）。
【００７１】
また、ＩＰパケット受信部３７は、受信したコンテンツ情報に含まれる送信元ＩＰアドレスが予め設定してあるローカルコンテンツサーバ４０のＩＰアドレスと一致するので、”非課金”の課金情報を含む課金付加情報を付加してＲＡＮコネクション送信部３８に出力する。ここで、課金付加情報は、図１２に示すように、例えば、ＲＡＮ識別子と、課金情報と、その他の制御情報と、ＩＰパケットとからなるものである。この課金情報は、非課金又は課金のいずれかを特定するための情報である。
【００７２】
次いで、ＲＡＮコネクション送信部３８は、ＭＡＣ、ＲＬＣ制御処理を行う。この際、ＲＡＮコネクション送信部３８は、入力された課金付加情報に含まれる課金情報が非課金であるため、課金のカウントアップを行わないようにする（図５参照）（Ｓ２３０）。
【００７３】
このＲＡＮコネクション送信部３８は、図１０のテーブルから、宛先ＩＰアドレスに対応付けられたＲＡＮ識別子を特定する。そして、ＲＡＮコネクション送信部３８は、ＭＡＣ、ＲＬＣに関する制御情報をコンテンツ情報と共に移動端末１０に送信する。
【００７４】
ＲＡＮコネクション送信部３８からコンテンツ情報を受信した移動端末１０は、受信したコンテンツ情報についての送達確認を返信する。具体的に、移動端末１０は、コンテンツ情報に含まれる送信元ＩＰアドレスがローカルコンテンツサーバ４０のＩＰアドレスであるので、その送信元ＩＰアドレスに向けて送達確認を基地局制御装置３０に送信する。
【００７５】
この送達確認は、ＲＡＮ内で転送することができるフレーム形式からなるものである。移動端末１０から送信確認を受信した基地局制御装置３０は、上記コンテンツ要求情報と同様の処理でローカルコンテンツサーバ４０に送信する。
【００７６】
（３）移動端末１０がＣＯＲＥ内ネットワーク９０にある一般コンテンツサーバ７０からコンテンツ情報を取得するまでの手順
図１３は、移動端末１０がＣＯＲＥ内ネットワーク９０にある一般コンテンツサーバ７０からコンテンツ情報を取得するまでの手順を示す図である。本手順は、手順（１）が終了した後に行われる。
【００７７】
先ず、移動端末１０が、そのコンテンツ要求情報を基地局制御装置３０に送信する（Ｓ３００）。移動端末１０からコンテンツ要求情報を受信した基地局制御装置３０は、上記で説明した処理と同様に、基地局制御装置３０の上りパケットによる受信機能構成に基づいて処理を行う。
【００７８】
この場合、手順（２）と同様の処理を行うが、コンテンツ要求情報に含まれるＩＰアドレスが一般コンテンツサーバ７０のＩＰアドレスであるため、そのＩＰアドレスはローカルコンテンツサーバ４０のアドレス群（図６参照）には含まれない。このため、ＩＰパケット処理部３２は、入力されたコンテンツ要求情報をＣＯＲＥコネクション送信部３４に出力する。
【００７９】
このＣＯＲＥコネクション送信部３４は、入力されたコンテンツ要求情報に基づいて、「ＲＡＮ−ＣＯＲＥ間対応テーブル」（図４）を参照し、既に特定されたＲＡＮ識別子に対応付けられたＣＯＲＥ識別子を特定する（Ｓ３１０）。このＣＯＲＥ識別子を特定したＣＯＲＥコネクション送信部３４は、特定したＣＯＲＥ識別子を用いて、ＧＴＰプロトコル処理をし、ＧＴＰ制御情報を含めたコンテンツ要求情報をネットワーク制御装置６０に送信する（Ｓ３２０）。ネットワーク制御装置６０は、受信したコンテンツ要求情報を一般コンテンツサーバ７０に送信する。
【００８０】
一般コンテンツサーバ７０は、ローカルコンテンツサーバ４０と同様に、受信したコンテンツ要求情報に対応するコンテンツ情報を該当する移動端末１０宛にネットワーク制御装置６０を介して送信する（Ｓ３３０）。この送信をする際には、一般コンテンツサーバ７０は、受信したコンテンツ要求情報に含まれる「送信元ＩＰアドレス」に送信する。
【００８１】
この一般コンテンツサーバ７０からコンテンツ情報を受信したネットワーク制御装置６０は、現在接続されているＧＴＰコネクション上でコンテンツ情報を基地局制御装置３０に送信する。このコンテンツ情報を受信したＣＯＲＥコネクション受信部３６は、ＧＴＰコネクションに関する処理を行った後に、受信したコンテンツ情報をＩＰパケット受信部３７に出力する。
【００８２】
具体的に、ＣＯＲＥコネクション受信部３６は、図１０の対応テーブルを参照し、コンテンツ情報に含まれる宛先ＩＰアドレスに対応付けられたＲＡＮ識別子を特定する（Ｓ３４０）。また、コンテンツ情報に含まれる送信元ＩＰアドレスがＲＡＮ内のローカルコンテンツサーバ４０のＩＰアドレスではないので、ＣＯＲＥコネクション受信部３６は、”課金”に設定した課金情報と特定したＲＡＮ識別子とを含む課金付加情報を、コンテンツ情報に付加する。ＣＯＲＥコネクション受信部３６は、コンテンツ情報及び課金付加情報をＲＡＮコネクション送信部３８に出力する。
【００８３】
このＲＡＮコネクション送信部３８は、入力された課金付加情報に含まれるＲＡＮ識別子に基づいて、そのＲＡＮ識別子に対応付けられたコネクション情報を参照し、コンテンツ情報をＲＡＮ内に転送するためのＭＡＣ、ＲＬＣ処理等の処理を行う。
【００８４】
この処理を行ったＲＡＮコネクション送信部３８は、入力されたコンテンツ情報をＲＡＮ内に転送するためのフレームに直して該当する移動端末１０に送信する。この場合、ＲＡＮコネクション送信部３８は、入力された課金付加情報の中の「課金」の箇所が「非課金」になっていないので、コンテンツ情報のパケットサイズに応じて課金を行う（Ｓ３５０）。
【００８５】
その後、コンテンツ情報を受信した移動端末１０は、受信したコンテンツ情報に対する送達確認等を一般コンテンツサーバ７０宛に返信する。この返信処理は、移動端末１０が一般コンテンツサーバ７０に送信した処理と同様の手順で行われる。
【００８６】
（４）ローカルコンテンツサーバ４０が移動端末１０からの要求なしにコンテンツ情報を該当する移動端末１０に送信する手順
図１４は、ローカルコンテンツサーバ４０が移動端末１０からの要求なしにコンテンツ情報を該当する移動端末１０に送信する手順を示す図である。図１４に示すように、ローカルコンテンツサーバ４０は、ローカルコンテンツサーバ４０で管理されている予め設定された起動トリガにより、内部に記憶されているアクセス端末リストを参照する（図１１参照）。
【００８７】
この起動トリガとしては、例えば予め定められた時間、又はコンテンツ情報を送信した時間間隔等が挙げられる。このリストを参照したローカルコンテンツサーバ４０は、上記起動トリガにより、リストにある移動端末１０のＩＰアドレス宛にコンテンツ情報を送信する（Ｓ４００〜Ｓ４４０）。この送信処理は手順（２）と同様であるので、詳述は省略する。
【００８８】
（コンテンツ配信システム、基地局制御装置及びコンテンツ配信制御方法による作用及び効果）
このような本願に係る発明によれば、ローカルコンテンツサーバ４０は、閉域網上のネットワーク８０を介してＲＡＮに接続された移動端末１０にのみ該当するコンテンツ情報を配信することができる。また、ローカルコンテンツサーバ４０を設置する運営業者は、広域網上のネットワーク９０（コアネットワーク）にローカルコンテンツサーバ４０を接続可能にするような手配をする必要がなくなるので、その運営業者は、本システムを完成させるまでの期間を短縮することができる。
【００８９】
また、ＩＰパケット処理部３２は、移動端末１０から受信したコンテンツ要求情報に含まれるＩＰアドレスがローカルコンテンツサーバ４０のアドレスであれば、そのアドレスにコンテンツ要求情報を転送することができる。これにより、コンテンツ要求情報が広域網上に接続された一般コンテンツサーバ７０を経由しないので、上記運営業者は、コンテンツ要求情報が広域網上を経由したことによる利用料金を利用者に支払わせないようにすることができる。
【００９０】
更に、ＲＡＮコネクション送信部３８は、ローカルコンテンツサーバ４０からコンテンツ情報が配信されたときは、そのコンテンツ情報に対しては課金しないようにする。一方、ＲＡＮコネクション送信部３８は、一般コンテンツサーバ７０からコンテンツ情報が配信されたときは、そのコンテンツ情報の容量に応じて課金する。
【００９１】
これにより、ＲＡＮコネクション送信部３８は、一般コンテンツサーバ７０から配信されたコンテンツ情報についてのみ課金をするので、ローカルコンテンツサーバ４０の運営業者は、移動端末１０に配信するコンテンツ情報を無料で配信することができる。
【００９２】
更にまた、ローカルコンテンツサーバ４０は、予め設定された時間が経過した際に、基地局制御装置３０を介して一度でもアクセスした移動端末１０にのみ該当するコンテンツ情報を配信することができる。
【００９３】
【発明の効果】
以上説明したように本発明によれば、閉域網上のネットワークに接続されたコンテンツサーバが閉域網上のネットワークを介して、３ＧＰＰに準拠するＲＡＮに接続された移動端末に該当するコンテンツを配信することができる。
【図面の簡単な説明】
【図１】本実施形態に係るコンテンツ配信システムの概略構成を示す図である。
【図２】本実施形態における基地局制御装置の内部構造を示す図である。
【図３】本実施形態における移動端末が基地局制御装置からコンテンツ要求情報を取得するまでの手順を示す図である。
【図４】本実施形態における対応テーブル記憶部に記憶されるＲＡＮ識別子とＣＯＲＥ識別子との対応関係を示す図である。
【図５】本実施形態におけるコネクション情報の内容を示す図である。
【図６】本実施形態におけるローカルコンテンツサーバのＩＰアドレスの内容を示す図である。
【図７】本実施形態におけるローカルコンテンツサーバネームとローカルコンテンツサーバのＩＰアドレスとの対応関係を示す図である。
【図８】本実施形態におけるコンテンツ要求情報の内容を示す図である。
【図９】本実施形態における移動端末がローカルコンテンツサーバからコンテンツ情報を取得するまでの手順を示す図である。
【図１０】本実施形態における送信元ＩＰアドレスとＲＡＮ識別子との対応関係を示す図である。
【図１１】本実施形態における移動端末を特定するためのＩＰアドレスを示す図である。
【図１２】本実施形態における課金付加情報の内容を示す図である。
【図１３】本実施形態における移動端末が一般コンテンツサーバからコンテンツ情報を取得するまでの手順を示す図である。
【図１４】本実施形態におけるローカルコンテンツサーバが自発的に移動端末に送信するまでの手順を示す図である。
【符号の説明】
１０…移動端末、２０…無線基地局、３０…基地局制御装置、３１…ＲＡＮコネクション受信部、３２…ＩＰパケット処理部、３３…対応テーブル記憶部、３４…ＣＯＲＥコネクション送信部、３５…ＩＰパケット送信部、３６…ＣＯＲＥコネクション受信部、３７…ＩＰパケット受信部、３８…ＲＡＮコネクション送信部、４０…ローカルコンテンツサーバ、４１…アドレス記憶部、５０…ＤＮＳサーバ、６０…ネットワーク制御装置、７０…一般コンテンツサーバ、８０…ネットワーク、９０…ネットワーク
【図１】
2004187045.tif 000003
【図２】
2004187045.tif 000004
【図３】
2004187045.tif 000005
【図４】
2004187045.tif 000006
【図５】
2004187045.tif 000007
【図６】
2004187045.tif 000008
【図７】
2004187045.tif 000009
【図８】
2004187045.tif 000010
【図９】
2004187045.tif 000011
【図１０】
2004187045.tif 000012
【図１１】
2004187045.tif 000013
【図１２】
2004187045.tif 000014
【図１３】
2004187045.tif 000015
【図１４】
2004187045.tif 000016